(57)【特許請求の範囲】
【請求項１】
缶の頂部の蓋の上に固定された器具の形態の缶のための飲用マウスピースであって、溝（８）を通して前記缶（２）のフランジ上に固定され、ウイング（４）を使用して前記缶（２）の蓋（３）の上に載置され、その縁（７）が、前記蓋の開口部に固定される場所で内側に収められ、楕円形状を有する突出ローブ（９）が前記缶（２）の外側で前記缶（２）の垂直壁上に下がっており、前記ウイング（４）の間に前記蓋の開口部の一部を覆う凹部（５）があり、この凹部はその上部に追加のより小さな凹部（１０）を有することを特徴とする、マウスピース。
【請求項２】
抗菌性の特性を有するプラスチックから作られていることを特徴とする、請求項１に記載のマウスピース。
【請求項３】
前記缶（２）の底の凹部に据え付けられることを特徴とする、請求項１に記載のマウスピース。
【発明の詳細な説明】
【技術分野】
【０００１】
本発明は、炭酸又は非炭酸飲料のいずれかを含む缶のための飲用マウスピースを包含する。これは、印のある縁に沿って開口部を生成するキャップに圧力をかける、ステイタブを有する従来の方法で開かれる缶に対して意図される。
【０００２】
ステイタブ開口メカニズムを有する飲料缶は、飲料消費に対して衛生的に安全ではない。飲用するとき又は他のタイプの放出（例えば、飲料を異なる容器に注ぐ）の間、缶の外表面上で見つかった汚染物質が飲料中に入り、その後、人間の消化器系に入るかもしれない高いリスクがある。さらに、缶を開けたあとに形成される穴は、鋭い端を有することがあり、これは、ある状況では、消費の間に舌を切るかもしれない。本発明で説明するマウスピースは、ステイタブ開口メカニズムを有する缶からの飲用に関係付けられている上記の２つのリスクに対する解決策である。
【背景技術】
【０００３】
特許ＰＬ３５８２３５Ａ１は、飲料缶のための、特にビール缶のためのキャップを説明しており、これは、マウスピースとフックからなり、外部に固定されるマウスピースを有する球状キャップ形状の本体と側面上のフックとを有しており、缶との接触点において直接、球状キャップのおける表面の内側に、周辺ラッチ突起を有する。球状キャップの表面内の本体は、封止ローブを有し、内部球状キャップの内部周辺リムの縁に、圧力（係合）フランジを有している。マウスピースは、その外表面上に軸方向凹部に分割されたスレッドを有する円筒のように形成されている。その外表面上に、マウスピースは、軸に垂直な前エリアを有し、内側に、軸に垂直なメッシュエリアを有し、メッシュは、虫が、特にハチが飲料に入ることを防止するのに十分な密度である。本体の外側及び本体側に出るフックは、矩形に似た凹部と、変曲点における外側ローブを有する一方で、ローブとともにキャップの軸に沿って形成されたアームの長さは、はずされたキャップの懸架を可能にする方法に一致する。
【０００４】
ＥＰ８７０６８５Ａ１特許は、開けた後の缶の蓋の穴に適用されるプラスチックマウスピースを説明している。このマウスピースは、食品で使用するのに承認され、再使用に適した殺菌可撓性プラスチック材料の一片から作られる。材料は、２つの対向する前表面を有し、一方が凹面であり、他方が凸面であるように曲げられる。正面から見ると、プラスチック器具の縁は、爪の形状に類似した丸みを帯びた角を有する等脚台形の形状の矩形に似ている。
【０００５】
特許ＥＰ１３５５８３１Ｂ１は、缶の頂部に据え付けられるスナップになるように寸法決めされた環状フランジからなるアタッチメントを説明している。アタッチメントは、上向きのマウスピースを備えた缶の頂部の開口部の真上に配置される開口部を有する。マウスピースは、好ましくは、及び、本質的に、半円形状であり、空になったときに、空気が缶内に流入することを可能にする。
【０００６】
特許出願ＷＯ２０１２／０１０７２５Ａ１は、缶の頂部に据え付けられた蓋を説明している。これは、カップとして成形され、頂部に楕円形状の開口部を有する斜円錐構成を有している。その頂部は缶の壁の近くに位置付けられ、首部を通して缶の蓋中の開口部に進む。
【発明の概要】
【０００７】
本発明は実施形態の１つのバージョンのみを使用して以下で説明されるが、本発明は、提示された例に限定されない。特に、さまざまな形態の製造及びさまざまな材料の使用に関して、マウスピースの多くの可能性あるバリエーション及び形態がある。
【０００８】
缶の頂部の蓋の上に固定された器具の形態の、缶のための飲用マウスピースの主な特徴は、溝を通して缶のフランジ上にマウスピースが固定され、同時にその壁を缶の蓋上に寄りかからせ、缶の蓋の開口部に固定される場所で、マウスピースの先は内側に収められ、缶の垂直壁に傾斜する部分は、内部の上面に形成された小さな凹部を有する楕円の縁を有している。
【０００９】
マウスピースは、好ましくは抗菌性の特性を有するプラスチックから作られる。
【００１０】
本発明にしたがうと、缶の製造の間、マウスピースは、缶の底の凹部に据え付けられる。本発明は、実施形態の図中に図示される。
【図面の簡単な説明】
【００１１】
【図１】図１は、マウスピースの正面図を示す。
【図２】図２は、マウスピースの上面図を示す。
【図３】図３は、マウスピースの底面図を示す。
【図４】図４は、図１中のＡ−Ａ線に沿ったマウスピースの断面図である。
【図５】図５は、缶の底の凹部中に据え付けられたマウスピースを示す。
【図６】図６は、缶の蓋上に据え付けられたマウスピースの上面図を示す。
【図７】図７は、缶の蓋上に据え付けられたマウスピースの正面図を示す。
【図８】図８は、缶の蓋上に据え付けられたマウスピースの側面図を示す。
【図９】図９は、缶の蓋上に据え付けられたマウスピースを下から見た図を示す。
【発明を実施するための形態】
【００１２】
本発明にしたがうマウスピースは、シリコンから作られる。上面図からは、マウスピースは文字Ｕのような形状であり、その広いウイング４は、端に広がり、平らになっている。反対方向に移動すると、ウイング４の端はますます狭くなり、これらの間には、深い凹部５があり、深い凹部５は、マウスピース１を蓋３の上に固定した後に、あけたときに、缶２中に位置付けられている液体が流れる開口部６と接触する。マウスピースの内部形状は、開口部６の形状に一致する。上面図からは、ウイング４の上表面はわずかに下がり、底部は水平であり、その端部は水平位置を想定して上がっている。
【００１３】
マウスピース１は、ウイング４の底部２で缶の蓋３上に載置され、開口部６への取り付けの場所で、開口部６の形状に適合された凹部５の縁７が内側に曲げられ、開口部６の鋭い縁をおおい、確実に接続の漏れを防ぐ。これは、缶を開けた後に形成される縁で舌を切ることを防ぐ。
【００１４】
マウスピース１は、マウスピースと缶との間に飲料が流れないように、缶２の上側フランジに固定される。フランジ４との接触点である溝８では、水平断面のマウスピース１は、フランジの形状に一致する円形のセグメントの形状を有している。
【００１５】
缶２の蓋３と蓋のフランジの上にマウスピース１を固定した後、缶の外側には、楕円底縁を有するローブ９が突出している。ローブ９は、缶の垂直壁に沿って下がり、飲用者の下唇を支える。
【００１６】
飲用者の上唇は、上唇の隆起の形状に対応した追加の小さな凹部１０を有するマウスピース１の凹部５の表面と接触している。
【００１７】
本発明にしたがうと、マウスピースは、単純な構成を有しており、同時に、缶からの液体の消費の間に安全に提供して、有用である。これは、飲用者の口を、汚れているかもしれない缶の外面から分離し、缶が開かれた後に形成される開口部の鋭い縁で舌が切られることから保護する。
【００１８】
製造の間、マウスピースは缶の底部の凹部に据え付けられ、これは輸送に関して人間工学的であり、缶のいずれの特性（例えば、１つの缶を別の頂部に置く可能性）も損なわない。据え付けは、食品に対して中立である接着剤によって行われる。
【００１９】
マウスピースは、マウスピースを外部汚染から分離する箔を敷くこと、又は、マウスピースの外側部分をはく離フォイルでカバーすることのいずれかにより汚染から保護され、これは、マウスピースを缶上に据え付けるときにだけ取り除かれ、確実にこのときまで清潔にする。
【００２０】
本発明にしたがうマウスピースは、缶の開口部の縁に据え付けられ、確実に漏れを防ぎ、傾斜したときに、液体を缶の外表面よりもむしろ、マウスピースに流れさせることができる。
【図１】
0006740337.tif 000002
【図２】
0006740337.tif 000003
【図３】
0006740337.tif 000004
【図４】
0006740337.tif 000005
【図５】
0006740337.tif 000006
【図６】
0006740337.tif 000007
【図７】
0006740337.tif 000008
【図８】
0006740337.tif 000009
【図９】
0006740337.tif 000010